(57)【特許請求の範囲】
【請求項１】
制御装置と、
センター装置に通報を行うためのモデムと、
所定の周波数の電波を受信し、復調して前記制御装置に渡す受信部と、
前記制御装置から渡された情報を無線送信する送信部と、
を備え、
前記制御装置は、
前記受信部から受けた情報を解析して、ワイヤレスセンサが異常発生の情報を所定の時間継続して送信するものであった場合には、当該所定時間に渡って認識できない信号を受けたときには妨害電波があると判断し、ワイヤレスセンサが異常発生の情報を所定の周期毎に間欠的に所定回数送信するものである場合には、所定の周期毎の前記所定回数に渡って認識できない信号を受けたときには妨害電波があると判断し、妨害電波があると判断すると、妨害電波によって妨害されていることを示す情報を生成して前記モデムによりセンター装置に通報すると共に、送信チャンネルの切り換えを要求する情報を生成して前記送信部によりワイヤレスセンサに無線送信する
ことを特徴とするワイヤレスコントローラ。
【発明の詳細な説明】
【０００１】
【産業上の利用分野】
本発明は、異常を検知した場合に、異常を検知したことを示す旨の情報を無線送信するワイヤレスセンサからの情報を受信するワイヤレスコントローラに関する。
【０００２】
【従来の技術】
従来、ワイヤレスセンサを用いたセキュリティシステムが知られている。図３はそのようなセキュリティシステムの概略の構成例を示す図であり、図中、１はワイヤレスセンサ、２はワイヤレスセンサのアンテナ、３はワイヤレスコントローラ（以下、単にコントローラと記す）、４はコントローラのアンテナ、５は通信回線、６はセンター装置を示す。
【０００３】
いま、当該セキュリティシステムがテナントビルに構築されているものとすると、ワイヤレスセンサ１は当該テナントビルの適宜な箇所に設置されている。ここで、ワイヤレスセンサ１はワイヤレス化された熱線センサでもよく、ワイヤレス化されたマグネットスイッチでもよく、ワイヤレス化された火災センサでもよく、あるいはその他のワイヤレス化されたセンサでよい。要するにワイヤレスセンサ１としては何等かの異常を検知するワイヤレス化されたセンサを用いることができる。なお、図３ではワイヤレスセンサ１は一つしか示していないが、これは図を煩雑にしないためにワイヤレスセンサを代表して示しているものであって、実際には複数のワイヤレスセンサが設置されることは当然である。そして、それぞれのワイヤレスセンサ１にはＩＤ番号が設定される。
【０００４】
さて、図３において、ワイヤレスセンサ１は異常を検知すると、自己に割り当てられたＩＤ番号を付して異常を検知した旨を示す情報を無線送信する。即ち、ワイヤレスセンサ１がワイヤレス化された熱線センサである場合は移動物体を検知すると異常を検知した旨を示す情報を無線送信し、ワイヤレスセンサ１がワイヤレス化された火災センサである場合は火災を検知すると異常を検知した旨を示す情報を無線送信する。
【０００５】
ワイヤレスセンサ１から無線送信された情報はコントローラ３で受信される。このコントローラ３は当該テナントビルの適宜な箇所に設置されている。そして、コントローラ３はワイヤレスセンサ１から異常を検知した旨を示す情報を受信すると、電話回線等からなる通信回線５を介して異常事態が発生したことをセンター装置６に通報する。センター装置６は警備会社に設置されているものである。
【０００６】
以上のようであるので、当該テナントビルにおいて何等かの異常が発生し、それがワイヤレスセンサ１で検知された場合にはセンター装置６に通報されるので、センター装置６の担当者は警備員を当該テナントビルに派遣する等の所定の手続きをとることができるものである。
【０００７】
以上、ワイヤレスセンサを用いたセキュリティシステムの概略について説明したが、次にワイヤレスセンサ１の構成の概略について図４を参照して説明する。
【０００８】
図４はワイヤレス化された熱線センサの概略の構成例を示す図であり、図中、１２はセンサヘッド、１３は制御部、１４は送信部、１５は電源を示す。
【０００９】
センサヘッド１２は所定の状態を検知するものであり、当該ワイヤレスセンサ１がワイヤレス化された熱線センサである場合には、焦電素子、反射鏡等の警戒ゾーンを形成するための光学系、焦電素子からの出力信号を処理して移動物体を検知したときに所定の信号、例えばインパルス信号（以下、この信号を発報信号と称する）を出力する信号処理回路等で構成される。
【００１０】
制御部１３はマイクロプロセッサを用いたプロセッシングユニットで構成され、センサヘッド１２から発報信号を受けると、異常発生を示す情報を生成し、その情報に自己のＩＤ番号を付し、所定の形態の信号として送信部１４から無線送信する。
【００１１】
電池１５は当該ワイヤレスセンサ１の電源となるものであり、センサヘッド１２、制御部１３、送信部１４には電池１０から常時電源が供給されている。この電源１５としてどのような電池を用いるかは適宜選択することができるが、電池交換の時間間隔を長くするために容量の大きい電池を用いるのが一般的である。
【００１２】
なお、図３ではアンテナ２は外部に突出するように示されているが、当該ワイヤレスセンサ１の内部に収納されていてもよいことは当然である。
【００１３】
【発明が解決しようとする課題】
しかしながら、このようなワイヤレスセキュリティシステムではワイヤレスセンサ１が異常発生を示す情報等の所定の情報を送信しているときに、他の無線機から同じ周波数の電波が放射されている場合には、この電波が妨害となってコントローラ３はワイヤレスセンサ１からの情報を正常に受信できなくなる可能性がある。
【００１４】
そこで、本発明は、他の無線機からの電波による妨害を回避することができるワイヤレスコントローラを提供することを目的とするものである。
【００１５】
【課題を解決するための手段】
上記の目的を達成するために、本発明のワイヤレスコントローラは、制御装置と、センター装置に通報を行うためのモデムと、所定の周波数の電波を受信し、復調して前記制御装置に渡す受信部と、前記制御装置から渡された情報を無線送信する送信部と、を備え、前記制御装置は、前記受信部から受けた情報を解析して、ワイヤレスセンサが異常発生の情報を所定の時間継続して送信するものであった場合には、当該所定時間に渡って認識できない信号を受けたときには妨害電波があると判断し、ワイヤレスセンサが異常発生の情報を所定の周期毎に間欠的に所定回数送信するものである場合には、所定の周期毎の前記所定回数に渡って認識できない信号を受けたときには妨害電波があると判断し、妨害電波があると判断すると、妨害電波によって妨害されていることを示す情報を生成して前記モデムによりセンター装置に通報すると共に、送信チャンネルの切り換えを要求する情報を生成して前記送信部によりワイヤレスセンサに無線送信することを特徴とする。
【００１７】
【発明の実施の形態】
以下、図面を参照しつつ実施の形態について説明する。
図１は本発明に係るコントローラの一実施形態を示す図であり、図中、２０は送信部、２１は受信部、２２は制御装置、２３は操作部、２４はモデムを示す。
【００１８】
送信部２０は制御装置２２から渡された情報を無線送信するためのものである。受信部２１は予め定められた周波数の無線を受信し、復調するものであり、その復調された情報は制御装置２２に渡される。操作部２３は、警戒モード／解除モードを設定するためのものであり、モデム２４は通信回線５を介してセンター装置６に異常発生の情報等の適宜な情報を通報するためのものである。
【００１９】
次に、制御装置２２の動作について説明する。
受信部２１は常時所定の周波数の電波を受信する態勢にあり、当該周波数の電波を受信すると、復調して制御装置２２に渡す。制御装置２２は受信部２１から受けた情報を解析し、当該情報が予め定められた所定の形態を有しているか否かを判断する。そして、当該情報が予め定められた所定の形態を有している場合には操作部２３で設定されているモードに応じて処理を行う。例えば、情報が異常発生を示すものであった場合、そのとき操作部２３によって解除モードが設定されている場合は当該情報を無視するが、警戒モードが設定されている場合には異常発生を示す情報を生成してモデム２４により通信回線５を介してセンター装置６に通報する。
【００２０】
これに対して、受信部２１から受けた情報が予め定められた所定の形態を有していない場合には制御装置２２は妨害電波があると判断する。
【００２１】
具体的には、例えばワイヤレスセンサ１が異常発生の情報をｔ0 の所定の時間継続して送信するものである場合には、制御装置２２は当該所定時間ｔ0 に渡って認識できない信号を受けたときには、予め定められた所定の形態の信号を受信できないので、妨害電波があると判断する。
【００２２】
また、ワイヤレスセンサ１が異常発生の情報を所定の周期毎に間欠的にｎ回送信するものである場合には、制御装置２２は所定の周期毎のｎ回に渡って認識できない信号を受けたときには、予め定められた所定の形態の信号を受信できないので、妨害電波があると判断する。
【００２３】
そして、制御装置２２は妨害電波があると判断すると、妨害電波によって妨害されていることを示す情報を生成し、それをモデム２４に渡して送信を指示する。このことによって当該情報はセンター装置に通報されるので、センター装置のオペレータは、当該コントローラ３は妨害電波によって妨害されていることを認識することができる。
【００２４】
また、妨害電波があると判断すると、制御装置２２は送信チャンネルの切り換えを要求する情報を生成して送信部２０により無線送信する。
【００２５】
以上、本発明に係るコントローラの一実施形態について説明したが、次に本発明に係るワイヤレスセンサの実施形態について図２を参照して説明する。図２において、３０は制御部、３１は送信部、３２は受信部、３３、３４はスイッチを示す。なお、図４に示すものと同一のものについては同一の符号を付す。
【００２６】
送信部３１は、送信チャンネル＃１，＃２の二つの送信チャンネルを備えている。受信部３２はコントローラ３の送信部２０から送信された情報を受信するためのものであり、電池１５から電源が供給されている。
【００２７】
スイッチ３３、３４の開閉は制御部３０からの制御信号によって制御されるが、何れか一方は閉じられ、他方は開かれるようになされる。いま、スイッチ３３が閉じられ、スイッチ３４は開かれているものとすると、送信チャンネル＃１には電池１５から電源が供給されて動作状態にあるが、送信チャンネル＃２には電源が供給されておらず、不動作状態にある。
【００２８】
次に、制御部３０の動作を説明する。
センサヘッド１２は常時電池１５から電源が供給されているので動作状態にある。制御部３０はセンサヘッド１２から発報信号を受けると、異常発生を示す情報を生成して送信部３１に与える。この情報は送信部３１の二つの送信チャンネル＃１，＃２に供給されるが、上述したように通常は送信チャンネル＃１は動作状態、送信チャンネル＃２は不動作状態にあるので、当該情報は送信チャンネル＃１によって無線送信されることになる。
【００２９】
受信部３２から送信チャンネルの切り換えを要求する情報を受けると、制御部３０は制御信号によりスイッチ３３を開き、スイッチ３４を閉じる。これによって送信チャンネル＃２が動作状態となるので、この後、次に送信チャンネルの切り換えが要求されるまでの間は送信チャンネル＃２から妨害電波に影響されない周波数で情報を送信できることになる。
【００３０】
スイッチ３３が開いており、スイッチ３４が閉じている状態において、送信チャンネルの切り換えを要求する情報を受けた場合には、制御部３０はスイッチ３３を閉じ、スイッチ３４を開くよう制御することは当然である。
【００３１】
以上、本発明の実施形態について説明したが、本発明は上記実施形態に限定されるものではなく種々の変形が可能である。例えば、上記実施形態ではワイヤレスセンサ１の送信部３１は二つの送信チャンネルを備えるものとしたが、それ以上の送信チャンネルを備えてもよいことは当然である。
【図面の簡単な説明】
【図１】  本発明に係るコントローラの一実施形態を示す図である。
【図２】  本発明に係るワイヤレスセンサの一実施形態を示す図である。
【図３】  ワイヤレスセンサを用いたセキュリティシステムの概略の構成例を示す図である。
【図４】  従来のワイヤレス化された熱線センサの概略の構成例を示す図である。
【符号の説明】
１…ワイヤレスセンサ、２…アンテナ、３…ワイヤレスコントローラ、４…アンテナ、５…通信回線、６…センター装置、１２…センサヘッド、１３…制御部、１４…送信部、１５…電池、２０…送信部、２１…受信部、２２…制御装置、２３…操作部、２４…モデム、３０…制御部、３１…送信部、３２…受信部、３３、３４…スイッチ。
【図１】
0003710071.tif 000002
【図２】
0003710071.tif 000003
【図３】
0003710071.tif 000004
【図４】
0003710071.tif 000005